(57)【要約】      （修正有）【課題】開店祝い、改装祝、葬祭などの際に店頭や店内、式場などに祝儀袋や商品券等とセットにして届けて飾るアートフラワースタンドを提供する。【解決手段】本アートフラワースタンドは、地面に静置される矩形板状の基台１と、該基台１の中央やや前方から上方に立ち上がる矩形格子状の下部支持枠２と、該下部支持枠２の上端部から上斜め後方へ同一幅で固定された矩形形状の上部支持枠３とからなり、前記基台１上には造花４が載せられると共に上部支持枠３の上部角部に造花４が取り付けられ、前記下部支持枠２の格子５には斜め４５度の姿勢を保持する傾斜姿勢容器６を取り付けたものである。【選択図】図１
0003156148.tif 000002
【実用新案登録請求の範囲】
【請求項１】
地面に静置される基台と、該基台上から上方に立ち上がる下部支持枠と、該下部支持枠の上端部から上斜め後方へ同一幅で固定された上部支持枠とからなり、前記基台上には造花が載せられると共に前記上部支持枠の上部に造花が取り付けられ、前記下部支持枠には斜め４５度の姿勢を保持する傾斜姿勢容器を取り付けたことを特徴とするアートフラワースタンド。
【請求項２】
地面に静置される矩形板状の基台と、該基台の中央やや手前から上方に立ち上がる矩形格子状の下部支持枠と、該下部支持枠の上端部から上斜め後方へ同一幅で固定された矩形形状の上部支持枠とからなり、前記基台の左隅には造花が載せられると共に前記上部支持枠の上部角部に造花が取り付けられ、前記下部支持枠の格子上部には斜め４５度の姿勢を保持する傾斜姿勢容器を取り付けたことを特徴とするアートフラワースタンド。
【請求項３】
前記上部支持枠は、前記下部支持枠の上端部から上斜め後方へ同一幅で固定された矩形枠から成り、該矩形枠の内部には写真パネル面板が挿入できるようになっていることを特徴とする請求項１又は２記載のアートフラワースタンド。
【請求項４】
前記上部支持枠の上部中央裏側にはネームプレート板の支柱を挿入できる挿入容器が設けられていることを特徴とする請求項１又は２記載のアートフラワースタンド。
【考案の詳細な説明】
【技術分野】
【０００１】
本考案は、開店祝い、改装祝、葬祭などの際に店頭や店内、式場などに配置されるアートフラワースタンドに関する。
【背景技術】
【０００２】
従来、開店祝い、改装祝、葬祭などの際に店頭や店内、式場などに配置され、夜間でも広告・宣伝効果を発揮できる装飾用造花スタンドが知られている（特許文献１を参照）。
この公知技術は、複数の支持用ポールと、これらポールの上端部側に取り付けられた背面板と、背面板の前面に所定の距離を隔てて配された透明板と、この透明板と背面板との間の空所に収容された複数の造花とを有し、造花は表面発光表示用薄板を花弁や苞葉の形に切り落として形造られたものであり、これらの造花に所定の発光表示電圧を供給するために電源部が設けられ、造花に発光表示電圧を印加することによって造花を発光表示させる装飾用造花スタンドである。
【先行技術文献】
【特許文献】
【０００３】
【特許文献１】特開平１１-２００１２８号公報
【考案の概要】
【考案が解決しようとする課題】
【０００４】
本考案は、開店祝い、改装祝、葬祭などの際に店頭や店内、式場などに祝儀袋や商品券等とセットにして届けて飾るアートフラワースタンドを提供することを目的とする。
【課題を解決するための手段】
【０００５】
本考案のアートフラワースタンドは、地面に静置される基台と、該基台上から上方に立ち上がる下部支持枠と、該下部支持枠の上端部から上斜め後方へ同一幅で固定された上部支持枠とからなり、前記基台上には造花が載せられると共に前記上部支持枠の上部に造花が取り付けられ、前記下部支持枠には斜め４５度の姿勢を保持する傾斜姿勢容器を取り付けたものである。
本考案のアートフラワースタンドは、地面に静置される矩形板状の基台と、該基台の中央やや手前から上方に立ち上がる矩形格子状の下部支持枠と、該下部支持枠の上端部から上斜め後方へ同一幅で固定された矩形形状の上部支持枠とからなり、前記基台の左隅には造花が載せられると共に前記上部支持枠の上部角部に造花が取り付けられ、前記下部支持枠の格子上部には斜め４５度の姿勢を保持する傾斜姿勢容器を取り付けたものである。
【考案の効果】
【０００６】
本考案のアートフラワースタンドは、地面に静置される基台と、該基台上から上方に立ち上がる下部支持枠と、該下部支持枠の上端部から上斜め後方へ同一幅で固定された上部支持枠とからなり、前記基台上には造花が載せられると共に前記上部支持枠の上部に造花が取り付けられ、前記下部支持枠には斜め４５度の姿勢を保持する傾斜姿勢容器を取り付けたため、アートフラワースタンドの傾斜姿勢容器に祝儀袋や商品券をセットにして届けることができるし、アートフラワースタンドは造花で飾られているので、そのまま手入れすることなく飾っておくことができる。
【図面の簡単な説明】
【０００７】
【図１】本考案のアートフラワースタンドの正面斜視図である。
【図２】本考案のアートフラワースタンドの造花等の付属品を除いた正面図である。
【図３】本考案のアートフラワースタンドの造花等の付属品を除いた側面図である。
【図４】本考案のアートフラワースタンドの一部を省略して示す上部断面図である。
【考案を実施するための形態】
【０００８】
本考案のアートフラワースタンドの一実施例を添付図面に基づいて、以下に説明する。
図１に示すように、本考案のアートフラワースタンドは、地面に静置される矩形板状の基台１と、該基台１上の中央やや手前から上方に立ち上がる矩形格子状の下部支持枠２と、該下部支持枠２の上端部から上斜め後方へ同一幅で固定された矩形形状の上部支持枠３とからなり、前記基台１上には造花４が載せられると共に上部支持枠３の上部に造花４が取り付けられ、前記下部支持枠２の格子５には斜め４５度の姿勢を保持する傾斜姿勢容器６を取り付けたものである。
なお、図１の番号７は、アートフラワースタンド贈答者のネームプレート板、番号８は写真プレート面板である。
【０００９】
図２、図３に示すように、前記基台１は、矩形厚板状に形成され、四隅下部にはガタつかないようにネジ回転により高さ調節可能なネジ調節脚９が設けられる。
前記下部支持枠２は、前記基台１の中央やや前方から上方に立ち上がり固定された矩形枠の内側に格子５を設けたものである。この格子５は全体の重量を軽減すると共に装飾的効果も表している。また、前記下部支持部材２が倒れないように前記基台１と前記下部支持枠２との接合部に三角形の補強材１０を固定している。
図４に示すように、前記上部支持枠３は、前記下部支持枠２の上端部から上斜め後方へ同一幅で固定された矩形枠１１から成り、該矩形枠１１の内部には写真パネル面板８が挿入できるようになっている。前記矩形枠１１の上下には前記写真パネル面板８が差し換えできるようにコ字形のアルミコーナー枠１２が向かい合って形成されている。上斜め後方へ傾けて上部支持枠３を配置した点は、目線位置に正対するようにし、目立つことを目的としている。
また、前記上部支持枠３の上部中央裏側にはネームプレート板７の支柱を挿入できる挿入容器１３が設けられている。
前記傾斜姿勢容器６は、透明アクリル容器から成り、斜め４５度の姿勢を保持するように背面に引掛け具（図示せず）を設けて、該引掛け具（図示せず）を前記下部支持部材２の格子５に引掛けて保持できるようにする。
なお、図３に示す番号１４は、前記上部支持枠３の両脇に設けたアートフラワースタンド運搬のための取っ手である。
【００１０】
次に、本考案のアートフラワースタンドの使用操作を添付図面に基づいて、以下に説明する。
本考案のアートフラワースタンドの使用操作例として、特に、葬祭用のアートフラワースタンドについて、以下に説明する。
図２に示す付属品が取り付けられていないアートフラワースタンド本体に、葬祭用のために、基台１の左隅と上部支持枠３の右上隅にそれぞれフラワースポンジ（造花を刺すためのスポンジ）を固定した後、図１に示すように造花４を選定してフラワースポンジに突き刺して飾る。
次いで、上部支持枠３の内側から図４に示すように写真プレート面板８を上方にスライドさせて下方のアルミコーナー枠１２から写真パネル面板８の下部を外して全体を取り外す。
そして、葬祭用に使用する写真プレート面板８を選択する。この例では巻き寿司を花模様に並べた写真プレート面板８を選択使用している。この写真プレート面板８を先程のように上方のアルミコーナー枠１２に差し込み、その後スライドさせて下方のアルミコーナー枠１２に嵌め込みさせる。
また、透明の傾斜姿勢容器６の引掛け具（図示せず）を下部支持枠２の格子５に引掛けて、斜め４５度の姿勢を保持させ、その中に前記写真プレート面板８の巻き寿司模様によって広告・宣伝された寿司店の商品券１５を前記傾斜姿勢容器６に挿入する。
さらに、アートフラワースタンドを贈答した贈答者の名前を記載したネームプレート板７の支柱を挿入容器１３に挿入する。
このようにして完成したアートフラワースタンドを葬式場に届け、飾ることができる。
【符号の説明】
【００１１】
１  基台
２  下部支持枠
３  上部支持枠
４  造花
５  格子
６  傾斜姿勢容器
７  ネームプレート板
８  写真プレート面板
９  ネジ調節脚
１０  補強材
１１  矩形枠
１２  アルミコーナー枠
１３  挿入容器
１４  取っ手
１５  商品券
【図１】
0003156148.tif 000003
【図２】
0003156148.tif 000004
【図３】
0003156148.tif 000005
【図４】
0003156148.tif 000006